(57)【要約】【課題】前面グリルの前面パネルへの取付け及び取外しを簡便にし、前面グリルの外観を向上させるための空気調和機を提供する。【解決手段】前面グリルは上部板と下部板に分離され前面パネルの上部と下部に結合される。前面パネルの上部両側にはヒンジ手段が設けられ、上部板の背面両側には両ヒンジ手段に着脱可能に結合される第１結合部材が設けられる。ヒンジ部材は、ヒンジ孔に配置される第１弾性片と、第１弾性片から突出するヒンジ軸とを有する。第１結合部材は、ヒンジ軸に結合され前後方向に回動するように、上部板の背面から前面パネルに突設される。前面パネルの下部両側にはスライド孔が設けられ、下部板の背面両側には、各スライド孔に沿って移動して、下部板が前面パネルに着脱されるようにする第２結合部材が設けられる。【選択図】        図２
2004163077.tif 000002
【特許請求の範囲】
【請求項１】
前面が開放された本体と、
前記本体の前面に結合される前面パネルと、
前記前面パネルの前面に結合される前面グリルとを含み、
前記前面グリルは上部板と下部板に分離され、前記上部板と下部板はそれぞれ前記前面パネルの上部と下部を覆うことを特徴とする空気調和機。
【請求項２】
前記前面パネルの上部には、前記上部板を回動可能に結合させるためのヒンジ手段が設けられ、これに対応する前記上部板の背面には、前記ヒンジ手段に着脱可能に結合される第１結合部材が設けられることで、前記上部板が前記前面パネルに結合及び分離されることを特徴とする請求項１に記載の空気調和機。
【請求項３】
前記ヒンジ手段は、前記前面パネルに形成されたヒンジ孔と、前記ヒンジ孔の両側辺から離隔され、前記ヒンジ孔の上下辺に連結され、側方に弾性変形可能に配置される第１弾性片と、前記第１弾性片から前記ヒンジ孔の一側辺に向かって突出して、前記第１結合部材が回動可能に結合されるようにするヒンジ軸とを含んでなることを特徴とする請求項２に記載の空気調和機。
【請求項４】
前記第１結合部材は、前記ヒンジ孔に挿入され前後に回動できるように、前記上部板の背面から前記前面パネルに向かって一定曲率で突出することを特徴とする請求項３に記載の空気調和機。
【請求項５】
前記ヒンジ軸に対応する前記第１結合部材の側面には、前記第１結合部材が前記ヒンジ軸に係合され位置固定されるようにする位置固定凹部と、前記第１結合部材が前記ヒンジ軸を中心に前後に回動できるように案内する案内溝とが設けられることを特徴とする請求項４に記載の空気調和機。
【請求項６】
前記位置固定凹部は前記ヒンジ軸を収容するように略円形に形成され、前記ガイド溝は前記位置固定凹部から一定間隔で離隔して配置されて一定の長さで曲線形に形成され、前記位置固定凹部が前記ヒンジ軸に結合し前記上部板が前記前面パネルに開放状態で維持される状態で、前記上部板を下方に押すと、前記ガイド溝が前記ヒンジ軸に結合され下方に回動することにより、前記上部板が前記前面パネルの上部を閉鎖することを特徴とする請求項５に記載の空気調和機。
【請求項７】
前記第１結合部材の先端には切欠部が形成され、前記第１結合部材が前記切欠部を通して前記ヒンジ軸に容易に結合するか又は前記ヒンジ軸から容易に分離されることを特徴とする請求項５に記載の空気調和機。
【請求項８】
前記位置固定凹部が前記ヒンジ軸に結合された状態で、前記第１結合部材の下端が前記支持突部に支持され、前記上部板が前記前面パネルに開放状態で位置するようにするため、前記ヒンジ孔の下部には前方に突出した支持突部が設けられることを特徴とする請求項５に記載の空気調和機。
【請求項９】
前記上部板が前記前面パネルの上部を閉鎖した状態で、前記フック部材が前記フック孔に挿着されることで、前記上部板の下部が前記前面パネルに着脱可能に固定されるようにするため、前記上部板の背面の下部には、前記前面パネルに突出した少なくとも一つのフック部材が設けられ、前記前面パネルには、前記フック部材に対応する位置にフック孔が設けられることを特徴とする請求項２に記載の空気調和機。
【請求項１０】
前記前面グリルの外観を向上させるため、前記上部板の下端又は前記下部板の上端には装飾帯が一体的に設けられることを特徴とする請求項１に記載の空気調和機。
【請求項１１】
前記上部板には、前記本体に空気を流入させるための吸気孔が設けられることを特徴とする請求項１に記載の空気調和機。
【請求項１２】
前記下部板は前記前面パネルの下部から上下方に移動して前記前面パネルに着脱されることを特徴とする請求項１に記載の空気調和機。
【請求項１３】
前記前面パネルの下部には、前記下部板がスライド移動して前記前面パネルに結合するようにするためのスライド孔が設けられ、これに対応する前記下部板の背面には、前記スライド孔に沿ってスライド移動して、前記下部板が前記前面パネルに着脱できるようにする第２結合部材が設けられることを特徴とする請求項１２に記載の空気調和機。
【請求項１４】
前記スライド孔は、前記第２結合部材が前記前面パネルの下部に位置するように一定の大きさに形成された位置セット孔と、前記第２結合部材の上下方向へのスライド移動により前記下部板が前記前面パネルの下部を開閉するように、前記位置セット孔の一側から上方に延長したガイド孔とからなることを特徴とする請求項１３に記載の空気調和機。
【請求項１５】
前記スライド孔の下辺には、前記ガイド孔の幅に相当する幅で、前記位置セット孔から前記ガイド孔に沿って配置された支持バーが設けられることを特徴とする請求項１４に記載の空気調和機。
【請求項１６】
前記第２結合部材は、前記スライド孔の支持バーに接触する長さで前記下部板の背面から垂直に突出する垂直部と、前記垂直部の端部から、前記位置セット孔の大きさに相当する大きさで平行に延長する水平部とからなることを特徴とする請求項１５に記載の空気調和機。
【請求項１７】
前記水平部の自由端部には、前記下部板の背面に臨んで突出する係止膨出部が設けられ、前記位置セット孔の上部かつ前記ガイド孔の側方には、前後方向に弾性変形可能に配置された第２弾性片が設けられ、前記第２結合部材が前記ガイド孔に沿って上方に移動して結合された状態で、前記係止膨出部が前記第２弾性片に係止されることにより、前記第２結合部材が自重により下降できないようにすることを特徴とする請求項１６に記載の空気調和機。
【請求項１８】
前記水平部の自由端部に対応する前記位置セット孔の側辺には、前記位置セット孔の中心に向かって突出する係止突部が設けられ、前記水平部の自由端部が前記係止突部に係止されることにより、前記第２結合部材が前記位置セット孔に固定されることを特徴とする請求項１６に記載の空気調和機。
【請求項１９】
前記前面パネルの下部には下方に折曲される結合突起が設けられ、これに対応する前記下部板の背面には上方に折曲される結合突起が設けられ、前記下部板が前記前面パネルの下部を閉鎖した状態で、前記下部板の結合突起が前記前面パネルの結合突起に係合されることにより、前記下部板が前記前面パネルから前方に浮かび上がらないようにしたことを特徴とする請求項１３に記載の空気調和機。
【請求項２０】
前記前面パネルには開口部が設けられ、前記開口部には吸入空気から埃を濾すためのフィルタが設けられ、前記フィルタの汚染状態は、前記下部板がスライド移動して前記前面パネルの下部を開放することにより、容易に確認できることを特徴とする請求項１３に記載の空気調和機。
【請求項２１】
前記前面パネルの開口部の下端には、前記フィルタの前方への離脱を防止するための複数の保持突部が設けられることを特徴とする請求項２０に記載の空気調和機。
【請求項２２】
前記フィルタは、前後方向に自由に曲がるように、柔軟性材質からなり、前記フィルタの下端には前方に突出した少なくとも一つの水平突起が設けられ、前記水平突起を掴んでフィルタを上方に上げると、前記フィルタが前記保持突部の拘束から離脱して前記前面パネルの開口部から分離されることを特徴とする請求項２１に記載の空気調和機。
【発明の詳細な説明】
【０００１】
【発明の属する技術分野】
本発明は空気調和機に係り、より詳しくは前面パネルに取り付けられる前面グリルの構造を改善して、前面グリルの取付け及び取外し作業を簡便にするとともに、前面グリルを美麗にした空気調和機に関するものである。
【０００２】
【従来の技術】
一般に、空気調和機は、圧縮機、凝縮器、冷媒膨張バルブ、蒸発器などが冷媒管で連結されて閉回路を構成する冷凍サイクルを循環する冷媒が気化又は液化することによる吸熱作用及び発熱作用を用いて、周囲を冷房又は暖房させる装置である。
【０００３】
かかる空気調和機は、圧縮機、凝縮器などを備え、室外に設置される室外機と、蒸発器などを備え、室内に設置される室内機とに分離されて構成される分離型と、前記要素が一つのハウジング内に設けられる一体型とに区分される。
【０００４】
図１は、前面グリルが単一部材からなり、前面に取り付けられた従来の空気調和機の室内機（以下、空気調和機という）の斜視図である。
【０００５】
同図に示すように、従来の空気調和機は、前面が開放された本体１と、開放された本体１の前面に取り付けられる前面パネル２とにより、略箱状の外観をなす。また、前面パネル２の前面には、室内空気を本体１に吸入するための吸入口４が設けられた前面グリル３が開閉可能に取り付けられている。
【０００６】
前面パネル２の上端部には、前記前面グリル３の形成された吸入口４とともに室内空気が本体１に吸入できるようにする吸入口５が設けられ、前面パネル２の下端部には、本体１に内蔵されたフィルタ（図示せず）、送風ファン（図示せず）、熱交換器（図示せず）を経て浄化した空気を再び室内空間に排出させるための吐出口６が設けられている。
【０００７】
したがって、送風ファンが作動すると、前面グリル３に設けられた吸入口４と前面パネル２に設けられた吸入口５とを通して本体１の内部に流入された室内空気が熱交換器で熱交換された後、前面パネル２の下端部に設けられた吐出口６を通して室内空間に排出され、室内空気の温度を最適に維持させることになる。
【０００８】
しかし、このように構成された空気調和機は、前面グリルが単一部材からなるから前面グリルの取外し及び取付け作業が容易でないため、前面グリルを取り外して掃除する作業が非常に面倒であり、しかも前面パネルの内側に配置されたフィルタの汚染状態を確認しフィルタを掃除する作業が非常に不便である欠点がある。
【０００９】
また、従来の空気調和機は、前面グリルが単一部材からなって前面パネルの前面の全面を遮る構造を有するため、空気調和機の外観に多様な変化を与えることができない欠点がある。
【００１０】
すなわち、従来の空気調和機は、前面グリルが単一部材から成形されるため、空気調和機の前面が単一のデザイン及び色相を有して空気調和機の外観が単調になり、よって従来の空気調和機は消費者にとってデザイン選択の幅を広めることが出来なくて、消費者の購買力を高めるのには限界がある。
【００１１】
かかる従来の空気調和機が有する欠点は、製品のデザインが製品選択の重要な基準となる現実からみて、製品の競争力を低下させる要因となるものである。
【００１２】
【発明が解決しようとする課題】
したがって、本発明は前述した従来技術の問題点を解決するためのもので、本発明の目的は、前面グリルの構造を改善して、前面グリルが前面パネルに簡便に取り付けられるか或いは取り外されるようにした空気調和機を提供することにある。
【００１３】
本発明のほかの目的は、前面グリルの構造を改善して、前面グリルの外観を向上させるようにした空気調和機を提供することにある。
【００１４】
【課題を解決するための手段】
前記のような目的を達成するため、本発明は、前面が開放された本体と、前記本体の前面に結合される前面パネルと、前記前面パネルの前面に結合される前面グリルとを含み、前記前面グリルは上部板と下部板に分離され、前記上部板と下部板はそれぞれ前記前面パネルの上部と下部を覆うようになった空気調和機を提供する。
【００１５】
前記前面パネルの上部には、前記上部板を回動可能に結合させるためのヒンジ手段が設けられ、これに対応する前記上部板の背面には、前記ヒンジ手段に着脱可能に結合される第１結合部材が設けられることで、前記上部板が前記前面パネルに結合及び分離される。
【００１６】
前記ヒンジ手段は、前記前面パネルに形成されたヒンジ孔と、前記ヒンジ孔の両側辺から離隔され、前記ヒンジ孔の上下辺に連結され、側方に弾性変形可能に配置される第１弾性片と、前記第１弾性片から前記ヒンジ孔の一側辺に向かって突出して、前記第１結合部材が回動可能に結合されるようにするヒンジ軸とを含んでなる。
【００１７】
前記第１結合部材は、前記ヒンジ孔に挿入され前後に回動できるように、前記上部板の背面から前記前面パネルに向かって一定曲率で突出する。
【００１８】
前記ヒンジ軸に対応する前記第１結合部材の側面には、前記第１結合部材が前記ヒンジ軸に係合され位置固定されるようにする位置固定凹部と、前記第１結合部材が前記ヒンジ軸を中心に前後に回動できるように案内する案内溝とが設けられる。
【００１９】
前記位置固定凹部は前記ヒンジ軸を収容するように略円形に形成され、前記ガイド溝は前記位置固定凹部から一定間隔で離隔して配置されて一定の長さで曲線形に形成され、前記位置固定凹部が前記ヒンジ軸に結合し前記上部板が前記前面パネルに開放状態で維持される状態で、前記上部板を下方に押すと、前記ガイド溝が前記ヒンジ軸に結合され下方に回動することにより、前記上部板が前記前面パネルの上部を閉鎖する。
【００２０】
前記第１結合部材の先端には切欠部が形成されるので、前記第１結合部材が前記切欠部を通して前記ヒンジ軸に容易に結合するか又は前記ヒンジ軸から容易に分離される。
【００２１】
前記位置固定凹部が前記ヒンジ軸に結合された状態で、前記第１結合部材の下端が前記支持突部に支持され、前記上部板が前記前面パネルに開放状態で位置するようにするため、前記ヒンジ孔の下部には前方に突出した支持突部が設けられる。
【００２２】
前記上部板が前記前面パネルの上部を閉鎖した状態で、前記フック部材が前記フック孔に挿着されることで、前記上部板の下部が前記前面パネルに着脱可能に固定されるようにするため、前記上部板の背面の下部には、前記前面パネルに突出した少なくとも一つのフック部材が設けられ、前記前面パネルには、前記フック部材に対応する位置にフック孔が設けられる。
【００２３】
前記前面パネルの下部には、前記下部板がスライド移動して前記前面パネルに結合するようにするためのスライド孔が設けられ、これに対応する前記下部板の背面には、前記スライド孔に沿ってスライド移動して、前記下部板が前記前面パネルに着脱できるようにする第２結合部材が設けられる。
【００２４】
前記スライド孔は、前記第２結合部材が前記前面パネルの下部に位置するように一定の大きさに形成された位置セット孔と、前記第２結合部材の上下方向へのスライド移動により前記下部板が前記前面パネルの下部を開閉するように、前記位置セット孔の一側から上方に延長したガイド孔とからなる。
【００２５】
前記スライド孔の下辺には、前記ガイド孔の幅に相当する幅で、前記位置セット孔から前記ガイド孔に沿って配置された支持バーが設けられる。
【００２６】
前記第２結合部材は、前記スライド孔の支持バーに接触する長さで前記下部板の背面から垂直に突出する垂直部と、前記垂直部の端部から、前記位置セット孔の大きさに相当する大きさで平行に延長する水平部とからなる。
【００２７】
前記水平部の自由端部には、前記下部板の背面に臨んで突出する係止膨出部が設けられ、前記位置セット孔の上部かつ前記ガイド孔の側方には、前後方向に弾性変形可能に配置された第２弾性片が設けられ、前記第２結合部材が前記ガイド孔に沿って上方に移動して結合された状態で、前記係止膨出部が前記第２弾性片に係止されることにより、前記第２結合部材が自重により下降できないようにする。
【００２８】
前記水平部の自由端部に対応する前記位置セット孔の側辺には、前記位置セット孔の中心に向かって突出する係止突部が設けられ、前記水平部の自由端部が前記係止突部に係止されることにより、前記第２結合部材が前記位置セット孔に固定される。
【００２９】
前記前面パネルの下部には下方に折曲される結合突起が設けられ、これに対応する前記下部板の背面には上方に折曲される結合突起が設けられ、前記下部板が前記前面パネルの下部を閉鎖した状態で、前記下部板の結合突起が前記前面パネルの結合突起に係合されることにより、前記下部板が前記前面パネルから前方に浮かび上がらないようにする。
【００３０】
前記前面パネルには開口部が設けられ、前記開口部には吸入空気から埃を濾すためのフィルタが設けられ、前記フィルタの汚染状態は、前記下部板がスライド移動して前記前面パネルの下部を開放することにより、容易に確認できる。
【００３１】
前記前面パネルの開口部の下端には、前記フィルタの前方への離脱を防止するための複数の保持突部が設けられる。
【００３２】
前記フィルタは、前後方向に自由に曲がるように、柔軟性材質からなり、前記フィルタの下端には前方に突出した少なくとも一つの水平突起が設けられ、前記水平突起を掴んでフィルタを上方に上げると、前記フィルタが前記保持突部の拘束から離脱して前記前面パネルの開口部から分離される。
【００３３】
【発明の実施の形態】
以下、添付図面に基づいて本発明の好ましい実施例を詳細に説明する。
【００３４】
図２は図面グリルが上部板と下部板に分離され前面パネルに結合される本発明による空気調和機の斜視図である。同図に示すように、本発明による空気調和機は、前面が開放された本体１０と、前記本体１０の開放前面に結合される前面パネル２０とからなり、全体として略箱状の外観を形成する。
【００３５】
前記前面パネル２０の前面には多数の開口部２９が設けられ、図２に示されていないが、前面パネル２０の前面と上面の内側には、吸入空気から埃などを濾すためのフィルタ２４（図５Ａ、Ｂ参照）が設けられる。
【００３６】
前面パネル２０の上端部と下端部には、空気を本体１０の内部に流入するための吸入口２１と、本体１０の内部で熱交換された空気を室内に排出させるための吐出口２７（図５Ａ、Ｂ参照）とがそれぞれ設けられている。
【００３７】
開口部２９が形成された前記前面パネル２０の前面には本発明による前面グリル３０が着脱可能に結合される。この前面グリル３０は、前面パネル２０の上部を覆う上部板３１と、前面パネル２０の下部を覆う下部板３２とに分離され構成される。このように、前面グリル３０が上部板３１と下部板３２に分離されるので、前面グリル３０の取付け及び取外しが容易になるのは勿論のこと、上部板３１及び下部板３２をもってデザイン及び色相を多様に演出することができるので、空気調和機の外観を向上させることができる。
【００３８】
上部板３１の下部には、前面パネル２０の上端部に設けられた吸気孔２１とともに、本体１０の内部に空気を流入させるための吸気孔３３が設けられている。下部板３２の上端には、前面グリル３０の外観を一層向上させるため、銀のような金属で鍍金された装飾帯３４が一定間隔で配置されて上部板３１と下部板３２間のギャップを装飾することになる。前記装飾帯３４は上部板３１の下端に設けるか、或いは単一部材で構成しても同等の効果を発揮することができる。
【００３９】
つぎに、図２ないし図５Ａ、Ｂに基づいて上部板３１を前面パネル２０に着脱可能に結合される構造について説明する。
【００４０】
図２に示すように、上部板３１を前面パネル２０に着脱可能に結合させるため、上部板３１の背面の上端及び下端の両側にはそれぞれ第１結合部材５０とフック部材５４（図４参照）が前記上部板３１と一体的に形成され、前面パネル２０には、それぞれ前記第１結合部材５０とフック部材５４に対応するヒンジ手段４０とフック孔２３が設けられている。
【００４１】
図３は前面パネルの一側面に設けられたヒンジ手段とフック孔の構造を拡大して示す図であり、図４は上部板の一側面に設けられた第１結合部材とフック部材の構造を拡大して示す図である。ここで、前記ヒンジ手段とフック孔は前面パネルの両側面に同一の構造で形成され、前記第１結合部材とフック部材は上部板の両側面に同一の構造で形成されているので、それぞれ前面パネルと上部板の一側面に設けられたものの構造についてだけ説明する。
【００４２】
図３に示すように、ヒンジ手段４０は前面パネル２０の上部に設けられたヒンジ孔２２に設けられる。このヒンジ孔２２は一定サイズの方形に形成され、ヒンジ手段４０がこのヒンジ孔２２の両側から一定間隔で離隔して縦方向に配置される。
【００４３】
ヒンジ手段４０は、上端及び下端がそれぞれヒンジ孔２２の上端及び下端に連結された第１弾性片４１と、前記第１弾性片４１の中心からヒンジ孔２の一側方に突設されたヒンジ軸４２とを含んでなる。前記第１弾性片４１は薄肉に形成され、ヒンジ孔２２の両側端から離隔しているので、左右方向にだけ変形できる。
【００４４】
前面パネル２０の中間部に設けられたフック孔２３は上部板３１のフック部材５４を収容し得る大きさを有するので、このフック孔２３にフック部材５４が着脱可能に係合されることにより、上部板３１の下端が固定されるようにする。
【００４５】
また、ヒンジ手段４０が設けられているヒンジ孔２２の下部には、上部板３１が一定の角度に開放された状態で自重により下方に回動しないように第１結合部材５０の下端を支持するため、前方に一定長さだけ突設された支持突部４３が設けられている。
【００４６】
図４に示すように、第１結合部材５０は、上部板３１の背面の上端部に、前面パネル２０に向かって一定の曲率で突出されているので、前面パネル２０のヒンジ孔２２のうちで、ヒンジ軸４２が突設された孔に挿入され前後方向に回動することになる。
【００４７】
ヒンジ手段４０のヒンジ軸４２と対向する第１結合部材５０の側面には、位置固定凹部５１、ガイド溝５２及び切欠部５３が設けられている。切欠部５３は第１結合部材５０の先端がカットされてなるもので、この切欠部５３を通して第１結合部材５０がヒンジ手段４０に対して結合されるか分離できる。位置固定凹部５１は切欠部５３の内側に略円形に形成され、ヒンジ軸４２を収容し得る大きさを有する。また、ガイド溝５２は、第１結合部材５０の先端に配置された位置固定凹部５１と第１結合部材５０の基端部（第１結合部材が上部板に連結される部分）との間に一定長さで屈曲して形成される。
【００４８】
このように構成された第１結合部材５０をヒンジ孔２２に挿入すると、切欠部５３を通して位置固定凹部５１がヒンジ軸４２に結合され、上部板３１が開放状態で維持され、続いて上部板３１を内側にさらに押す込むと、ガイド溝５２がヒンジ軸４２に結合されるので、第１結合部材５０が前面パネル２０の内側に回動することになる。
【００４９】
また、前記上部板３１の背面下部には、前面パネル２０に向かってフック部材５４が突設されている。前記フック部材５４は左右方向に弾性変形可能に設けられるので、上部板３１を押すか又は引き寄せると、前面パネル２０に設けられたフック孔２３に挿着されるか又は分離される。
【００５０】
以下、上部板を前面パネルに取り付けるか分離する過程を図５Ａ及び図５Ｂに基づいて詳細に説明する。
【００５１】
図５Ａ及び図５Ｂは上部板の開閉動作を示すため、図２の線Ｖ−Ｖに沿って取った断面図で、図５Ａは上部板が前面パネルの上部を閉鎖した状態を示すものであり、図５Ｂは上部板が上方に回動して前面パネルの上部を開放した状態を示すものである。
【００５２】
図５Ａに示すように、上部板３１が前面パネル２０に結合された状態で、上部板３１の下端部を前方に引き寄せると、フック部材５４が側方に弾性変形されながら前面パネル２０のフック孔２３から分離される。この状態で、上部板３１を持ち上げると、第１結合部材５０が、ヒンジ軸４２に結合されている第１結合部材５０のガイド溝５２の案内により、前方に回動して上部板３１を開放させることになる。
【００５３】
上部板３１が一定角度回動して、第１結合部材５０のガイド溝５２の先端がヒンジ軸４２に位置する状態で、前方に少しの力を加えると、第１弾性片４１がヒンジ軸４２の反対側に弾性変形するにつれて、第１結合部材５０のガイド溝５２がヒンジ軸４２から分離されるとともに、第１結合部材５０の位置固定凹部５１がヒンジ軸４２に結合されるので、図５Ｂに示すように、上部板３１は一定角度で開放されたままで維持される。このように、第１結合部材５０がヒンジ軸４２を中心にガイド溝５２から位置固定凹部５１に移動する動作は第１結合部材５０がヒンジ手段４０の設けられたヒンジ孔２２に挿入されたままで行われるので、第１結合部材５０がヒンジ孔２２から離脱できなくなる。
【００５４】
図５Ｂに示すように、第１結合部材５０の位置固定凹部５１がヒンジ軸４２に結合されて、上部板３１が一定角度で開放された状態においては、第１結合部材５０の下端が、ヒンジ孔２２の下部において、前面パネル２０から前方に突出した支持棚４３に支持されるので、上部板３１が自重により下方に回動できなくなる。
【００５５】
位置固定凹部５１がヒンジ軸４２に結合された状態で、上部板３１を上方にさらに持ち上げると、第１弾性片４１がヒンジ軸４２の反対側に弾性変形することにより、位置固定凹部５１がヒンジ軸４２から離脱し、続いて切欠部５３を通して離脱するので、第１結合部材５０がヒンジ孔２２から抜き出されて、上部板３１が前面パネル２０から簡便に分離される。
【００５６】
こうして、上部板３１が下部板３２とは別途に前面パネル２０から簡便に分離されるので、上部板３１の吸気孔３３の掃除作業が容易に行えるとともに、前面パネル２０の内側に配置されたフィルタ２４の清潔状態を容易に確認することができる。
【００５７】
このように、上部板３１が前面パネル２０から離脱した状態で再度取り付ける作業は前述した離脱過程の逆順に進行される。すなわち、第１結合部材５０の先端をヒンジ孔２２の差し込み、切欠部５３をヒンジ軸４２に合わせた後、上部板３１を前面パネル２０側に押すと、第１弾性片４１が弾性変形されるにつれて、第１結合部材５０の位置固定凹部５１がヒンジ軸４２に結合されるので、図５Ｂに示す状態となる。この状態で、上部板３１を前面パネル２０側に押すと、ガイド溝５２がヒンジ軸４２に結合され、第１結合部材５０が下方に回動し、上部板３１は前面パネル２０の上部を閉鎖することになる。このように閉鎖された位置で、上部板３１の下端部を前面パネル２０側に押すと、上部板３１の下部に設けられたフック部材５４が前面パネル２０に設けられたフック孔２３に係合されることで、上部板３１の閉鎖作業が完了する。
【００５８】
つぎに、図２と図６ないし図８Ａ、Ｂに基づいて下部板３２を前面パネル２０に着脱可能に結合する構造について説明する。
【００５９】
図２に示すように、下部板３２を前面パネル２０に着脱可能に結合させるため、前面パネル２０の下部両側にはスライド孔６０が設けられ、下部板３２の背面上部の両側には、前記スライド孔６０に対応する第２結合部材７０が一体的に設けられている。
【００６０】
図６は前面パネルの一側面に設けられたスライド孔の構造を拡大して示す図であり、図７は前面パネルのスライド孔に対応して下部板の一側面に設けられた第２結合部材の構造を拡大して示す図である。ここで、前記スライド孔と第２結合部材はそれぞれ前面パネルの両側と下部板の両側に同一の構造に構成されているので、それぞれ前面パネルと下部板の一側に設けられたものについてだけ説明する。
【００６１】
図６に示すように、前面パネル２０の下部に設けられたスライド孔６０は、略正方形に形成された位置セット孔６１と、前記位置セット孔６１の上辺一側から上方に一定長さだけ延長された略長方形ガイド孔６２とを備えている。
【００６２】
ガイド孔６２は、幅又は横長（Ｗ２）が位置セット孔６１の横長（Ｗ１）のおよそ半分くらいの大きさに形成され、位置セット孔６１の上辺の一側（図６の左側）から上方に延長される。したがって、スライド孔６０は前面パネル２０の前面に略“Ｌ”字形に形成される。
【００６３】
位置セット孔６１の上部かつガイド孔６２の右側には小さなスリット６５が形成される。このスリット６５には第２弾性片６６が設けられる。前記第２弾性片６６はスリット６５の下端から一体的に延長され、その両側端及び上端は前記スリット６５から分離されているので、この第２弾性片６６は前後方向に弾性変形可能になる。また、自由端部をなす前記第２弾性片６６の上端部は内側に突出する曲面をなすので、下部板３２の第２結合部材７０が第２弾性片６６に当接して係止される。
【００６４】
スライド孔６０の内側には、ガイド孔６２の横長（Ｗ２）とほぼ同一幅で位置セット孔６１及びガイド孔６２に沿って縦方向に延長された支持バー６３が設けられ、下部板３２の第２結合部材７０が支持バー６３に支持されてスライド移動できるようにする。
【００６５】
位置セット孔６１の右側辺のおよそ中間部位には、位置セット孔６１の中心部に突出した係止突部６４が設けられ、下部板３２の第２結合部材７０が前面パネル２０の下部を開放したままで、この係止突部６４に係止されるようにする。
【００６６】
前面パネル２０の下部には、下方に折曲されて前面パネル２０との間にギャップを有する結合突起６７が設けられている。この結合突起６７は、下部板３２が前面パネル２０の下部板を閉鎖した状態で前方に浮かび上がらないようにする。
【００６７】
また、前面パネル２０の内側には、複数の開口部２９を通して吸入される空気に含まれた埃を濾すためのフィルタ２４が設けられる。このフィルタ２４は柔軟な材質からなった薄肉のフレームと微細孔が形成された網とからなって容易に曲がり、下端フレームには、フィルタ２４を前面パネル２０から分離するための水平突起２４ａが設けられている。また、このフィルタ２４の前方には、前面パネル２０の下端から上方に一定長さだけ突出した複数の保持突部２８が配設されている。
【００６８】
したがって、水平突起２４ａを掴んでフィルタ２４を上方に上げて、フィルタ２４の下端部が保持突部２８の外側に引き寄せることにより、フィルタ２４を前面パネル２０から分離することができる。
【００６９】
図７に示すように、下部板３２の背面には、前面パネル２０のスライド孔６０に着脱可能に挿合される第２結合部材７０が設けられている。前記第２結合部材７０は、下部板３２の背面から前面パネル２０に向かって垂直に延長した垂直部７１と、前記垂直部７１の先端から平行に延長した水平部７２とを含んでなる。この垂直部７１及び水平部は柔軟な材質で薄肉に形成され、水平部７２の自由端部が前後方向に弾性変形可能になる。
【００７０】
垂直部７１はスライド孔６０の内側に設けられた支持バー６３に至るほどの長さを有するので、第２結合部材７０がスライド孔６０に挿合されると、第２結合部材７０の水平部７２が前面パネル２０の支持バー６３に接触して支持される。
【００７１】
水平部７２の長さ（Ｌ１）は位置セット孔６１の横長（Ｗ１）より少し小さく形成され、水平部７２のサイズは位置セット孔６１より少し小さいサイズを有するので、水平部７２が位置セット孔６１に挿合できる。したがって、この位置セット孔６１を通して第２結合部材７０が前面パネル２０に仮結合された後、ガイド孔６２に沿ってスライド移動して、下部板３２が前面パネル２０の下部を閉鎖することになり、この位置セット孔６１を通して第２結合部材７０が前方に抜き出されることにより、下部板３２が前面パネル２０から分離されるものである。
【００７２】
水平部７２の自由端部には、下部板３２の背面に向かって突出した曲面形の係止膨出部７３が設けられている。この係止膨出部７３は位置セット孔６１の右側部の上向延長線上に設けられた第２弾性片６６に係止されて、前面パネル２０を閉鎖状態で維持するためのものである。すなわち、水平部７２の全長（Ｌ１）は位置セット孔６１の横長（Ｗ１）に対応するようになり、水平部７２の内半部の長さ（Ｌ２）はガイド孔６２の横長Ｗ２に対応するようになるので、第２結合部材７０がスライド孔６０に沿って上方に移動すると、水平部７２の自由端部に設けられた係止膨出部７３は第２弾性片６６の突部を越えてからこれに係止されるものである。
【００７３】
この係止膨出部７３は水平部７２の自由端部の上部に位置しているので、第２結合部材７０が位置セット孔６２に配置された状態においては、位置セット孔６２に設けられた係止突部６４の上部に位置することになる。
【００７４】
また、前面パネル２０の下部に下向に折曲された結合突起６７に対応して、下部板３２の背面下部には上向に折曲された結合突起７４が設けられるので、下部板３２が前面パネル２０の下部を閉鎖した状態で前記結合突起６７、７４は互いに係合される。
【００７５】
以下、下部板を前面パネルに取り付けるか取り外す過程を図８Ａ及び図８Ｂに基づいて詳細に説明する。
【００７６】
図８Ａ及び図８Ｂは下部板の開閉動作を示す部分斜視図であって、図８Ａは下部板（二点鎖線で指示）が前面パネルの下部に開放状態で位置するものを示し、図８Ｂは下部板（二点鎖線で指示）が上向にスライド移動して前面パネルの下部を閉鎖した状態で位置するものを示す。
【００７７】
図８Ａに示すように、下部板３２が前面パネル２０の下部を開放した状態で、第２結合部材７０は位置セット孔６１の内側に位置する。この位置においては、前面パネル２０の内側に配置されたフィルタ２４（図６参照）の下端部が外部に露出するため、フィルタ２４の汚染状態を容易に確認することができるだけでなく、開口部２９を通してフィルタ２４を分離することもできる。こうして、第２結合部材７０が位置セット孔６１に位置した状態で、水平部７２は支持バー６３に支持され、水平部７２の係止膨出部７３は位置セット孔６２に設けられた係止突部６４の上部に置かれる。
【００７８】
この状態で、下部板３２を前方に引き寄せると、第２結合部材７０の水平部７２の自由端部が後方に少し押されながら係止突部６４を越えるので、下部板３２が前面パネル２０から分離される。逆に、下部板３２を前面パネル２０に結合するため、第２結合部材７０を位置セット孔６２の内部に押し込むと、水平部７２の自由端部が前方に少し押されながら係止突部６４を越えるので、図８Ａに示すような位置に固定されるものである。
【００７９】
この状態で、下部板３２を上方に移動させると、第２結合部材７０の水平部７２の内半部が支持バー６３に支持されたままでガイド孔６２に沿って上方に移動する。同時に、水平部７２の外半部に設けられた係止膨出部７３は前面パネル２０の内側で位置セット孔６２の上方に移動するにつれて、第２弾性片６６を前方に押しながら越えることになる。
【００８０】
その結果、図８Ｂに示すように、下部板３２は前面パネル２０の下部を閉鎖し、係止膨出部７３は元の状態に復元された第２弾性片６６に係止されるので、下部板３２が自重により下方に移動するのが防止される。また、下部板３２の結合突起７４が前面パネル２０の結合突起６７に係合されるので、下部板３２が前方に浮かび上がることが防止される。
【００８１】
図８Ｂに示すように、下部板３２が前面パネル２０の下部を閉鎖した状態で、下部板３２を下方に移動させる動作は前述した閉鎖動作の逆順に進行される。すなわち、下部板３２を下方に押し下げると、水平部７０の係止膨出部７３が第２弾性片６６を前方に押すとともに第２結合部材７０はガイド孔６２に沿って下方にスライド移動して位置セット孔６１に位置することになる。この状態で、前述したように、下部板３２を前方に引き寄せると、水平部７２の自由端部が後方に少し弾性変形しながら係止突部６４を通過することにより、下部板３２が前面パネル２０から取り外されることになる。
【００８２】
【発明の効果】
以上説明したように、本発明による空気調和機は、前面パネルの前面に取り付けられる前面グリルが上部板と下部板に分離され、上部板と下部板が前面パネルに簡便に取り付けられるか取り外される構造を有するため、上部板と下部板の掃除作業が容易に行え、下部板の開放により前面グリルの内側に配置されたフィルタの汚染状態を容易に確認することができるとともに、フィルタを簡単に取り外して掃除作業し得る効果があるものである。
【００８３】
また、本発明による空気調和機は、前面パネルの前面に取り付けられる前面グリルが上部板と下部板に分離されるので、前面グリルの上部と下部を相違した色相及びデザインで製作して、空気調和機の外観を向上させることができ、よって消費者の購買力を増大させることができる効果があるものである。
【図面の簡単な説明】
【図１】前面グリルが単一部材で構成され前面パネルに取り付けられた従来の空気調和機を示す斜視図である。
【図２】前面グリルが上部板と下部板に分離され前面パネルに取り付けられる本発明による空気調和機を示す斜視図である。
【図３】上部板を着脱可能に結合するため、前面パネルに設けられた結合構造を示す図２の“Ａ”部の拡大図である。
【図４】前面パネルに設けられた図３の結合構造に対応して上部板に設けられた結合構造を示す図２の“Ｂ”部の背面拡大図である。
【図５Ａ】上部板が前面パネルの上部を閉鎖した状態を示す図２の線Ｖ−Ｖについての断面図である。
【図５Ｂ】上部板が上方に回動して前面パネルの上部を開放した状態を示す図２の線Ｖ−Ｖについての断面図である。
【図６】前面パネルの一側面に設けられたスライド孔の構造を拡大して示す図である。
【図７】前面パネルに設けられた図６の結合構造に対応して下部板に設けられた結合構造を示す図２の“Ｄ”部の拡大図である。
【図８Ａ】下部板が下方にスライド移動して前面パネルの下部を開放した状態を示す部分斜視図である。
【図８Ｂ】下部板が上方にスライド移動して前面パネルの下部を閉鎖した状態を示す部分斜視図である。
【符号の説明】
２０  前面パネル
２２  ヒンジ孔
２４  フィルタ
３０  前面グリル
３１  上部板
３２  下部板
４０  ヒンジ手段
４１  第１弾性片
４２  ヒンジ軸
５０  第１結合部材
５１  位置固定凹部
５２  ガイド溝
６０  スライド孔
６１  位置セット孔
６２  ガイド孔
６６  第２弾性片
７０  第２結合部材
７３  係止膨出部
【図１】
2004163077.tif 000003
【図２】
2004163077.tif 000004
【図３】
2004163077.tif 000005
【図４】
2004163077.tif 000006
【図５Ａ】
2004163077.tif 000007
【図５Ｂ】
2004163077.tif 000008
【図６】
2004163077.tif 000009
【図７】
2004163077.tif 000010
【図８Ａ】
2004163077.tif 000011
【図８Ｂ】
2004163077.tif 000012